(57)【要約】【課題】一方向において天板の縁部の所望の位置に装置本体を配置した状態で天板にオプション装置を取付けることができるオプション装置の支持構造を提供する。【解決手段】一方向Ｘに延びる縁部１２ａを有する天板１２を備える什器１の天板に、オプション装置７０を取付けるオプション装置の支持構造２であって、一方向に延び、オプション装置に取付けられる被支持部７５と、天板の縁部に対して複数の異なる位置で取付け可能な固定部８６、及び、固定部に設けられ、被支持部に対して複数の異なる位置で取付け可能な支持部８８を有する支持機構８５と、を備え、固定部により天板の縁部に対する複数の異なる位置のうちの任意の位置に支持機構を取付けるとともに、支持部により被支持部に対する複数の異なる位置のうちの任意の位置に支持機構を取付けることによって、天板に取付け可能である。【選択図】図３
2018075086.tif 000002
【特許請求の範囲】
【請求項１】
一方向に延びる縁部を有する天板を備える什器の前記天板に、オプション装置を取付けるオプション装置の支持構造であって、
前記一方向に延び、前記オプション装置に取付けられる被支持部と、
前記天板の前記縁部に対して複数の異なる位置で取付け可能な固定部、及び、前記固定部に設けられ、前記被支持部に対して複数の異なる位置で取付け可能な支持部を有する支持機構と、
を備え、
前記固定部により前記天板の前記縁部に対する前記複数の異なる位置のうちの任意の位置に前記支持機構を取付けるとともに、前記支持部により前記被支持部に対する前記複数の異なる位置のうちの任意の位置に前記支持機構を取付けることによって、前記天板に取付け可能であることを特徴とするオプション装置の支持構造。
【請求項２】
複数の前記支持機構を前記一方向に並べた状態で備えることを特徴とする請求項１に記載のオプション装置の支持構造。
【請求項３】
前記被支持部には、前記一方向に延びる係止溝が形成され、
前記支持部は、少なくとも一部が前記係止溝内に配置されて、前記係止溝に対して前記一方向に移動可能であることを特徴とする請求項１又は２に記載のオプション装置の支持構造。
【請求項４】
前記支持部は、前記被支持部に固定された状態と、前記被支持部に対して前記一方向に移動可能な状態と、に切替え可能な固定機構を有することを特徴とする請求項１から３のいずれか一項に記載のオプション装置の支持構造。
【請求項５】
請求項１から４のいずれか一項に記載のオプション装置の支持構造と、
前記オプション装置と、
前記什器と、
を備え、
前記什器の前記天板の下面、又は前記天板よりも下方には、前記天板に前記固定部を取付ける際の障害物が設けられ、
前記固定部は、前記障害物を避けて前記天板に取付けられていることを特徴とする什器システム。
【請求項６】
前記什器は、前記天板を一対備え、
前記一対の天板は、物品収容空間を挟んで並べて配置され、
前記固定部は、前記天板の前記物品収容空間寄りの前記縁部に取付けられていることを特徴とする請求項５に記載の什器システム。
【発明の詳細な説明】
【技術分野】
【０００１】
本発明は、オプション装置の支持構造及び什器システムに関する。
【背景技術】
【０００２】
オフィスや病院、公共施設等における執務空間においては、執務を効率的に実施するために、天板を有する天板付き什器（什器）が使用されるのが一般的となっている。このような天板付き什器を使用することにより、天板上で執務を行い、執務効率を向上させることができる。
執務をより効率的に実施するため、机上棚や机上トレー等の天板に取付けて使用するオプション装置が多く開発されている（例えば、特許文献１及び２参照）。これらのオプション装置では、操作性を向上させるために、例えば机上棚は、天板よりも上方に設置されていることが望ましい。
このため、例えば、机上棚は棚装置の支持構造（以下、支持構造とも略称する）により天板よりも上方で支持される。
【０００３】
しかしながら、これらの構造においては、支持構造が取付けられたオプション装置を天板上（もしくは什器上）に載置するため、オプション装置及び支持構造自体によって執務作業面である天板上面が狭められてしまうという問題を有していた。また、支持構造が什器に固定されていないため、オプション装置及び支持構造に外力が加えられた場合に、オプション装置が天板上から落下してしまったり、天板上で転倒したりする可能性を有していた。このため、オプション装置は使用時の安全性を考慮し、支持構造を什器に固定することが望まれていた。
【０００４】
こうした要望を鑑み、支持構造をクランプ部材等の固定部により天板に取付ける方法が発明されている（例えば、特許文献３参照）。この方法によれば、執務作業面である天板上面を広く確保しつつ、オプション装置及び支持構造を安定的かつ強固に天板に固定することができ、什器としての使い勝手を良好なものとすることができる。
また、支持構造を天板の縁部に沿う左右方向（一方向）に取付け位置を変更可能に取付けることができる。
【０００５】
この方法においては、天板の後方の縁部に、支持構造が有する固定部等によってオプション装置を取付ける構造となっている。一般的な天板付き什器では、天板の縁部の下方には、支持体（脚）、補強部材、配線ダクト等の、天板に固定部を取付ける際の障害物が配設されている場合が多い（例えば、特許文献４及び５参照）。支持構造の取付けに際しては、これらの障害物を避けて天板に固定部を取付ける必要がある。
【先行技術文献】
【特許文献】
【０００６】
【特許文献１】特許第４２８９８６６号公報
【特許文献２】特開２０１４−１１３２９６号公報
【特許文献３】特許第４５４６８０４号公報
【特許文献４】特開２０１４−０６８９１８号公報
【特許文献５】特許第５２０９５２３号公報
【発明の概要】
【発明が解決しようとする課題】
【０００７】
しかしながら、例えばオプション装置が棚装置であるである場合には、什器の美観等により、天板の左右方向の端と棚装置の左右方向の端とを一致させて、天板に棚装置を取付けたい場合がある。このとき、障害物の配置位置によっては、左右方向における所望の位置に棚装置を配置することができない。
【０００８】
本発明は、このような問題点に鑑みてなされたものであって、一方向において天板の縁部の所望の位置にオプション装置を配置した状態で天板にオプション装置を取付けることができるオプション装置の支持構造、及びこのオプション装置の支持構造を備える什器システムを提供することを目的とする。
【課題を解決するための手段】
【０００９】
上記課題を解決するために、この発明は以下の手段を提案している。
本発明のオプション装置の支持構造は、一方向に延びる縁部を有する天板を備える什器の前記天板に、オプション装置を取付けるオプション装置の支持構造であって、前記一方向に延び、前記オプション装置に取付けられる被支持部と、前記天板の前記縁部に対して複数の異なる位置で取付け可能な固定部、及び、前記固定部に設けられ、前記被支持部に対して複数の異なる位置で取付け可能な支持部を有する支持機構と、を備え、前記固定部により前記天板の前記縁部に対する複数の前記一方向に異なる位置のうちの任意の位置に前記支持機構を取付けるとともに、前記支持部により前記被支持部に対する複数の前記一方向に異なる位置のうちの任意の位置に前記支持機構を取付けることによって、前記天板に取付け可能であることを特徴としている。
【００１０】
この発明によれば、例えば、被支持部にオプション装置を取付けておく。天板に固定部を取付け可能な複数の位置、及び、被支持部に支持部を取付け可能な複数の位置から、固定部が障害物を避けるとともに、一方向において天板の所望の位置にオプション装置が配置されるように、天板に固定部を取付ける位置、及び、被支持部に支持部を取付ける位置を選ぶ。選んだ位置になるように天板に固定部を取付け、被支持部に支持部を取付ける。
したがって、一方向において天板の縁部の所望の位置にオプション装置を配置した状態で、天板にオプション装置を取付けることができる。
【００１１】
また、上記のオプション装置の支持構造において、複数の前記支持機構を前記一方向に並べた状態で備えてもよい。
この発明によれば、オプション装置を一方向により安定的かつ強固に支持することができる。
【００１２】
また、上記のオプション装置の支持構造において、前記被支持部は、係止溝であり、前記支持部は、少なくとも一部が前記係止溝内に配置されて、前記係止溝に対して前記一方向に移動可能であってもよい。
この発明によれば、係止溝に取付け可能な支持部の位置が一方向に連続的に設けられることで、係止溝に対する支持部の位置を一方向に精度良く調節することができる。
【００１３】
また、上記のオプション装置の支持構造において、前記支持部は、前記被支持部に固定された状態と、前記被支持部に対して前記一方向に移動可能な状態と、に切替え可能な固定機構を有してもよい。
この発明によれば、固定機構を操作することで、支持部が被支持部に対して固定された状態と移動可能な状態とを容易に切替えることができる。
【００１４】
また、本発明の什器システムは、上記のいずれかに記載のオプション装置の支持構造と、前記オプション装置と、前記什器と、を備え、前記什器の前記天板の下面、又は前記天板よりも下方には、前記天板に前記固定部を取付ける際の障害物が設けられ、前記固定部は、前記障害物を避けて前記天板に取付けられていることを特徴としている。
この発明によれば、障害物を避けて天板に固定部を取付けつつ、一方向において天板の縁部の所望の位置にオプション装置を配置することができる。
【００１５】
また、上記の什器システムにおいて、前記什器は、前記天板を一対備え、前記一対の天板は、物品収容空間を挟んで並べて配置され、前記固定部は、前記天板の前記物品収容空間寄りの前記縁部に取付けられていてもよい。
この発明によれば、いわゆる対面式の什器において、天板上での執務に支障とはなりにくい天板の物品収容空間寄りの縁部に、オプション装置の支持構造を介してオプション装置を取付けることができる。
【発明の効果】
【００１６】
本発明のオプション装置の支持構造及び什器システムによれば、一方向において天板の縁部の所望の位置にオプション装置を配置した状態で天板にオプション装置を取付けることができる。
【図面の簡単な説明】
【００１７】
【図１】本発明の一実施形態の什器システムの斜視図である。
【図２】同什器システムにおける天板等を取外した状態の斜視図である。
【図３】図１中のＩＩＩ−ＩＩＩ線に相当する断面図である。
【図４】図３中のＩＶ−ＩＶ線に相当する断面図である。
【図５】同棚装置の支持部において、内側押え板及び外側押え板が伸び状態であるときの平面の断面図である。
【図６】図５中のＶＩ−ＶＩ線に相当する断面図である。
【図７】図５中のＶＩＩ−ＶＩＩ線に相当する断面図である。
【図８】同棚装置の支持部において、内側押え板及び外側押え板が縮み状態であるときの平面の断面図である。
【図９】本発明の一実施形態の変形例における図３に対応する断面図である。
【発明を実施するための形態】
【００１８】
以下、本発明に係る什器システムの一実施形態を、オプション装置が棚装置である場合を例にとって、図１から図９を参照しながら説明する。
図１及び図２に示すように、本実施形態の什器システム６は、テーブル（什器）１、棚装置７０、及び、本実施形態の棚装置の支持構造２（以下、支持構造２とも略称する）を備える。
【００１９】
テーブル１は、上面が作業面１０ａとされた天板集合体１０と、床面Ｆ上に載置され天板集合体１０の下面を支持する脚部（支持体）２０と、作業面１０ａから天板集合体１０の内部側へと広がるように形成された配線挿通部（物品収容空間）５０と、配線挿通部５０の開口５０ａに着脱可能に取付けられる配線カバー６０とを備えている。なお、図２では天板集合体１０等を仮想線で示している。
【００２０】
この例では、天板集合体１０は平面視で矩形状に形成されている。天板集合体１０の長辺は、ワーカー等である使用者が、天板集合体１０を使用する側の縁部である使用縁部１０ｂ、１０ｃとなっている。すなわち、複数の使用者は、不図示の椅子などに着座した状態で天板集合体１０の使用縁部１０ｂ、１０ｃに沿って並び、作業面１０ａ上で作業を行うことになる。このように、テーブル１はいわゆる対面式のテーブルである。
以下では、使用縁部１０ｂ、１０ｃに平行な方向を左右方向（一方向）Ｘ、天板集合体１０の短辺１０ｄに平行な方向を奥行方向Ｙと称する。これら左右方向Ｘ及び奥行方向Ｙは、作業面１０ａに平行であるとともに、互いに直交する方向である。
使用縁部１０ｂ、１０ｃは、左右方向Ｘに延びる。
テーブル１は、奥行方向Ｙの中央に規定される基準面Ｓ６に対して、面対称となるように形成されている。
【００２１】
天板集合体１０は、平面視で矩形状の４枚の天板１１、１２、１３、１４を有している。天板１１、１２、１３、１４の下面の所定位置には、図示しないナットが埋め込まれている。
天板１１、１２、１３、１４は、各２枚の天板１１、１２、及び、天板１３、１４が左右方向Ｘの端面を突き合せて、奥行方向Ｙの幅を一定にした連続した机上面を形成している。これらの連続した机上面を形成する２組の天板の対（以下、「天板集合体１５、１６」と称する。）が奥行方向Ｙの中央部に隙間Ｓ１を挟んで対向して配置されるようになっている。この隙間Ｓ１は、前述の配線挿通部５０の開口５０ａとなっている。
天板集合体１５、１６は、左右方向Ｘに延びる辺が互いに平行になるように対向配置され、隙間Ｓ１は左右方向Ｘに沿って連続している。
【００２２】
天板１１、１２、１３、１４における開口５０ａを構成する縁部１１ａ、１２ａ、１３ａ、１４ａは、左右方向Ｘに延びる。天板１１、１３は、配線挿通部５０を挟んで奥行方向Ｙに並べて配置されている。同様に、天板１２、１４は、配線挿通部５０を挟んで奥行方向Ｙに並べて配置されている。
例えば、支持構造２は、天板１１、１２、１３、１４の配線挿通部５０寄りの縁部１１ａ、１２ａ、１３ａ、１４ａに取付けて使用される。
以下では、支持構造２が天板１２の縁部１２ａに取付けられる場合で説明する。しかし、支持構造２が取付けられる天板は天板１２に限られず、天板１１、１３、１４でもよい。支持構造２が取付けられる天板１２の縁部は、天板１２における縁部１２ａ以外の縁部でもよい。
【００２３】
脚部２０は、左右方向Ｘの両端部に配置される一対の脚体ユニット２１と、その一対の脚体ユニット２１の上部同士を連結する一対の外側連結杆２２、一対の内側連結杆２３と、を備えている。この実施形態では、一対の脚体ユニット２１の間に中間脚２４が配置され、中間脚２４の上部に中継ユニット２５が設けられている。
外側連結杆２２は、脚部２０の奥行方向Ｙの両側の端部に左右方向Ｘに沿うように平行に配置され、天板集合体１０の天板集合体１５、１６の奥行方向Ｙの外側縁部を下方から支持するようになっている。この実施形態の場合、各外側連結杆２２は、一対の金属製の角管部材２２ａ、２２ｂが中継ユニット２５を介して一体に連結され、全体が左右方向Ｘに沿って直線状に延出している。
【００２４】
内側連結杆２３は、脚部２０の奥行方向Ｙの中央部に外側連結杆２２と平行になるように配置され、天板集合体１０の天板集合体１５、１６の奥行方向Ｙの各内側縁部を下方から支持するようになっている。内側連結杆２３同士は、奥行方向Ｙに所定距離離間して配置されている。この実施形態の場合、各内側連結杆２３は、一対の金属製の角管部材２３ａ、２３ｂが中継ユニット２５を介して一体に連結され、全体が左右方向Ｘに沿って直線状に延出している。
【００２５】
脚体ユニット２１は、床面Ｆ上に載置されて、左右方向Ｘ及び奥行方向Ｙにそれぞれ直交する上下方向Ｚに延出する２本の脚本体部２８と、奥行方向Ｙに沿って延出して脚本体部２８の上部同士を連結する横梁部２９とを備えている。各脚本体部２８は、金属製の角パイプによって主要部を構成され、その角パイプの上下の端部にエンドプレートが溶接固定されている。
横梁部２９は、プレス成形された２枚の金属プレートが組み合わされ、その主要部が筒状に形成されている。横梁部２９の長手方向の両端部は、脚本体部２８の各上部側面に溶接固定されている。こうして、２本の脚本体部２８の上部に横梁部２９が連結された脚体ユニット２１は、左右方向Ｘから見た側面視が門型状（開口側が下方を向くコ字形状）となっている。
横梁部２９の左右方向Ｘの外側面には、奥行方向Ｙに沿って延出する凹状段部２９ａが形成されている。凹状段部２９ａにはカバー部材３０が脱着可能に取付けられている。
【００２６】
横梁部２９の左右方向Ｘの内側における上部コーナ部分には、凹状に窪む段差部３１が奥行方向Ｙに沿って連続して設けられている。この段差部３１には、外側連結杆２２の角管部材２２ａ、２２ｂの左右方向Ｘの外側端部を結合するための金属製の支持アーム３２と、内側連結杆２３の角管部材２３ａ、２３ｂの左右方向Ｘの外側端部を結合するための金属製の支持アーム３３とが溶接固定されている。
【００２７】
中間脚２４は、フレーム枠に金属プレートが接合されてパネル状に形成されている。中間脚２４の上端部には、前述の中継ユニット２５が一体に取付けられている。中継ユニット２５は、奥行方向Ｙに延出する角筒状のステー３６の左右方向Ｘの両側の側面に、外側連結杆２２の角管部材２２ａ、２２ｂの左右方向Ｘの内側端部を結合するための金属製の支持アーム３７と、内側連結杆２３の角管部材２３ａ、２３ｂの左右方向Ｘの内側端部を結合するための金属製の支持アーム３８とが溶接固定されている。
支持アーム３２、３３、３７、３８の各上面には、天板集合体１５、１６のナットに対応する位置にボルト挿通孔（符号省略）が穿設されている。
【００２８】
外側連結杆２２の各角管部材２２ａは、一方の脚体ユニット２１の支持アーム３２と中継ユニット２５の一方の側面の支持アーム３７とに架設されている。各角管部材２２ｂは、他方の脚体ユニット２１の支持アーム３２と中継ユニット２５の他方の側面の支持アーム３７とに架設されている。
同様に、内側連結杆２３の各角管部材２３ａは、一方の脚体ユニット２１の支持アーム３３と中継ユニット２５の一方の側面の支持アーム３８とに架設され、各角管部材２３ｂは、他方の脚体ユニット２１の支持アーム３３と中継ユニット２５の他方の側面の支持アーム３８とに架設されている。
【００２９】
天板集合体１５、１６は、両者の間に隙間Ｓ１を設けるようにして、脚部２０の上部に載置されている。そして、支持アーム３２、３３、３７、３８のボルト挿通孔、及び天板集合体１５、１６のナットに図示しない締結ボルトを挿入することで、脚部２０に天板集合体１５、１６が締結固定されている。
【００３０】
図２及び図３に示すように、両角管部材２３ａの間、及び両角管部材２３ｂの間には、底部材５１が溶接等によりそれぞれ固定されている。なお、図３では、後述するカバー本体６１内を簡略化して示している。底部材５１は、例えば、金属製の板材を中空の板状に折り曲げて構成することができる。底部材５１には、上下方向Ｚに貫通する透孔５１ａが形成されている。
底部材５１、角管部材２３ａ、２３ｂ、及び天板集合体１０で、前述の配線挿通部５０が構成されている。配線挿通部５０は、後述する配線Ｃやコンセント等の物品を収容するための空間である。
各底部材５１における左右方向Ｘの両端部には、カバー支持部材５４がそれぞれ固定されている。以下では、基準面Ｓ６に対する天板１２側（奥行方向Ｙの第二の向き）を前方Ｙ１、天板１２に対する基準面Ｓ６側（奥行方向Ｙの第一の向き）を後方Ｙ２と呼ぶ。
カバー支持部材５４は、図３に示すように、底部材５１に固定されたベース５５と、ベース５５から奥行方向Ｙに互いに離間するように上方に延びる腕部５６、５７とを有している。腕部５６は、腕部５７よりも後方Ｙ２に配置されている。腕部５６の上端部には、左右方向Ｘに延びるボス５６ａが設けられている。
【００３１】
配線カバー６０では、平板状に形成されたカバー本体６１の後方Ｙ２の縁部の下面にフック部６２が設けられている。
カバー本体６１における前方Ｙ１の縁部には、ゴムなどの柔軟な材料で形成されたヒレ６３が取付けられている。
配線カバー６０は、カバー支持部材５４のボス５６ａにフック部６２を係合させるとともに腕部５７上にカバー本体６１を載置したときに、カバー本体６１が奥行方向Ｙにほぼ平行に配置される。このとき、配線カバー６０が配線挿通部５０の開口５０ａの一部を塞いだ状態となる。配線カバー６０は、左右方向Ｘに延びるように開口５０ａに配置される。
なお、ヒレ６３は、天板集合体１５、１６の側面に近接もしくは当接して配置されている。
【００３２】
一方で、ボス５６ａとフック部６２との係合を維持しつつ、ヒレ６３が上方に移動するように配線カバー６０をボス５６ａ周りに回動させると、配線カバー６０は位置Ｑ１に移動する。このように、カバー支持部材５４に配線カバー６０を係合させた状態で、配線カバー６０を回動させて開けることができようになっている。
【００３３】
詳細に図示はしないが、前述の床面Ｆや壁面に設けられたコンセントに接続された配線Ｃは、底部材５１の透孔５１ａを通して配線挿通部５０内に配置される。そして、天板１２上に配置された不図示の電子機器等の左右方向Ｘの位置に応じてヒレ６３を変形させることで、配線カバー６０のカバー本体６１と天板１２との間から上方に引き出され、前述の電子機器等に接続される。
【００３４】
次に、棚装置７０について説明する。
図３及び図４に示すように、棚装置７０は、水平面に沿って延びる棚板７１と、棚板７１の後方Ｙ２の端部から上方に延びる背板７２とを有する。棚板７１及び背板７２は、金属板や樹脂等で一体に形成されている。棚板７１の上面は、物品を載置するための載置面７１ａである。
【００３５】
次に、支持構造２について説明する。
支持構造２は、レール（被支持部）７５、及び複数の支持機構８５を有する。
レール７５は、基板７７と、基板７７の奥行方向Ｙの各端部から下方に延びる一対の垂下片７８と、各垂下片７８の下端部から互いに近づくように奥行方向Ｙに沿って延びる一対の内向き凸片７９、とを有する。すなわち、一対の垂下片７８の一方の下端部に設けられた内向き凸片７９は、一対の垂下片７８の他方の下端部に向かって延びる。一対の垂下片７８の他方の下端部に設けられた内向き凸片７９は、一対の垂下片７８の一方の下端部に向かって延びる。
基板７７、一対の垂下片７８、及び一対の内向き凸片７９は、左右方向Ｘに延びるように形成されている。このように構成されたレール７５は、左右方向Ｘに延びる。
図４に示すように、この例では、内向き凸片７９は、左右方向Ｘに３つの小片７９ａに分かれている。すなわち、左右方向Ｘに隣り合う小片７９ａの間には、隙間Ｓ２が形成されている。
【００３６】
図３及び図４に示すように、一対の内向き凸片７９の下面は、レール７５の下面である。レール７５の内部空間が、係止溝（被支持部）８０である。係止溝８０は、レール７５の下面に左右方向Ｘに延びるように形成される。係止溝８０は、レール７５を左右方向Ｘに貫通している。係止溝８０がレール７５を左右方向Ｘに貫通していることで、レール７５の左右方向Ｘの各端に、端部開口８０ｂが形成されている。
係止溝８０の幅方向は、奥行方向Ｙとなる。係止溝８０の底面は、基板７７の下面となる。係止溝８０におけるレール７５の下面に形成された開口は、一対の内向き凸片７９間に形成される下面開口（開口）８０ａである。係止溝８０の下面開口８０ａの縁部は、一対の内向き凸片７９である。
係止溝８０は、蟻溝状である。すなわち、係止溝８０は、基板７７の下面寄りの奥行方向Ｙの長さＬ１よりも、係止溝８０の下面開口８０ａの奥行方向Ｙの長さＬ２の方が短い。
【００３７】
このように構成されたレール７５は、溶接等により棚装置７０の棚板７１の下面に取付けられる。
【００３８】
支持機構８５は、天板１２の縁部１２ａを把持する把持部（固定部）８６と、把持部８６から上方に延びる支柱（柱状部）８７と、支柱８７の上端部に取付けられた支持部８８と、を有する。なお、支持部８８は、後述するようにレール７５に固定された固定状態と、レール７５に対して左右方向Ｘに移動可能な移動状態と、に切替え可能な固定機構を兼ねる。
図３に示すように、把持部８６は、左右方向Ｘに見たときにＣ形状のクランプ部材９０と、クランプ部材９０に嵌め合う締付けネジ９１と、を有する。
クランプ部材９０は、上片９３及び下片９４が垂直片９５により連結されて構成されている。上片９３には、皿ネジの頭部に係合する係合孔９３ａが形成されている。上片９３の下面には、ゴムシート等の弾性部材９６が貼付けられていることが好ましい。
下片９４には、上下方向Ｚに延びる雌ネジ９４ａが形成されている。
【００３９】
締付けネジ９１は、外周面に雄ネジ（符号省略）が形成されたネジ部９８と、ネジ部９８の上端部に固定された回動摘み９９と、を備えている。ネジ部９８の雄ネジは、クランプ部材９０の雌ネジ９４ａに螺合されている。回動摘み９９は、下片９４よりも上方に配置されている。
【００４０】
このように構成された把持部８６は、以下のようにして天板１２の縁部１２ａに取付けられる。予め、弾性部材９６と回動摘み９９との距離を、天板１２の厚さよりも長くしておく。
使用者は、弾性部材９６の下面を天板１２の作業面１０ａに接触させる。回動摘み９９を指等で摘み、締付けネジ９１をネジ部９８の軸線周りの第一の向きに回転させ、クランプ部材９０に対して締付けネジ９１を上方に移動させる。弾性部材９６と回動摘み９９とで天板１２を上下方向Ｚに挟むことで、天板１２の縁部１２ａに把持部８６を取付ける。
一方で、締付けネジ９１を軸線周りの第二の向きに回転させ、クランプ部材９０に対して締付けネジ９１を下方に移動させる。弾性部材９６と回動摘み９９との上下方向Ｚの距離が広がり、天板１２の縁部１２ａから把持部８６が取外される。
後述する障害物がない限り、把持部８６は、天板１２の縁部１２ａに対して左右方向Ｘにおける任意の位置で取付け可能である。
【００４１】
支柱８７は、角筒状に形成され上下方向Ｚに延びるように配置されている。支柱８７の下端部における筒孔内には、板状のネジ座１０１が固定されている。ネジ座１０１には、上下方向Ｚに延びる雌ネジ１０１ａが形成されている。
皿ネジ１０２をクランプ部材９０の係合孔９３ａに挿入し、ネジ座１０１の雌ネジ１０１ａに嵌め合わせることで、クランプ部材９０の上片９３に支柱８７の下端部が固定される。クランプ部材９０に取付けられた支柱８７は、把持部８６から立設する。
【００４２】
図５から図７に示すように、支持部８８は、受け具（受け部材）１０５、内側押え板（第一支持片）１０６、外側押え板（第二支持片）１０７、及び固定ネジ（付勢部材）１０８を備えている。なお、内側押え板１０６及び外側押え板１０７で、後述するように係止溝８０に対して支持部８８が下方に移動するのを規制する抜止め部材１０９を構成する。
図５から図７は、受け具１０５及び内側押え板１０６に対して外側押え板１０７が後方Ｙ２に移動して、押え板１０６、１０７が伸び状態であるときの構成を示す。
受け具１０５は、水平面に沿って配置された基板１１０と、基板１１０の左右方向Ｘの各端部から下方に延びる一対の側板１１１とを有している。基板１１０は、平面視で奥行方向Ｙに長い矩形状である。基板１１０における前方Ｙ１の端部の下面には、支柱８７の上端部が溶接等により固定されている。すなわち、受け具１０５は、支柱８７（把持部８６）に設けられている。
【００４３】
内側押え板１０６は、水平面に沿って配置された内基板１１３と、内基板１１３の左右方向Ｘの各端部から上方に延びる一対の内側板１１４と、内基板１１３の上面に固定されたナット１１５と、を有している。
内基板１１３は、平面視で奥行方向Ｙに長い矩形状である。内基板１１３の前方Ｙ１の端部には、支柱８７が挿入される角孔１１３ａが形成されている。内基板１１３における角孔１１３ａよりも後方Ｙ２には、丸孔１１３ｂが形成されている。この丸孔１１３ｂに連通するように、内基板１１３の上面にナット１１５が溶接等により固定されている。一対の内側板１１４の外面間の距離は、受け具１０５の一対の側板１１１の内面間の距離よりも短い。
内側押え板１０６の一対の内側板１１４は、受け具１０５の一対の側板１１１の間に配置される。内側押え板１０６の内基板１１３は、受け具１０５の基板１１０よりも下方に配置されている。
【００４４】
後述するように、角孔１１３ａ内に支柱８７が挿入された内側押え板１０６は、支柱８７（把持部８６）に設けられるとともに、支柱８７に対して上下方向Ｚに沿って移動可能である。
【００４５】
外側押え板１０７は、水平面に沿って配置された外基板１１７と、外基板１１７の左右方向Ｘの各端部から上方に延びる一対の外側板１１８と、外基板１１７に形成された切欠き１１７ａの左右方向Ｘの各縁部から上方に延びる一対の突片１１９と、を有する。
外基板１１７は、平面視で奥行方向Ｙに長い矩形状である。外基板１１７の前方Ｙ１の端には、切欠き１１７ａが形成されている。切欠き１１７ａは、平面視で矩形状である。切欠き１１７ａの奥行方向Ｙの長さは、支柱８７の奥行方向Ｙの長さに等しいか、この長さよりも長い。切欠き１１７ａの左右方向Ｘの長さは、支柱８７の左右方向Ｘの長さよりも長い。
外基板１１７における切欠き１１７ａよりも後方Ｙ２には、長孔１１７ｂが形成されている。長孔１１７ｂは、左右方向Ｘの長さよりも奥行方向Ｙの長さの方が長い。
【００４６】
一対の外側板１１８の内面間の距離は、受け具１０５の一対の側板１１１の外面間の距離よりも長い。
各突片１１９は、切欠き１１７ａの前方Ｙ１の端から後方Ｙ２に延びている。各突片１１９の後方Ｙ２の端には、後方Ｙ２に突出する係止片１２０が形成されている。突片１１９及び係止片１２０の全体としての奥行方向Ｙの長さは、切欠き１１７ａの奥行方向Ｙの長さよりも短い。一対の突片１１９の内面間の距離、及び一対の係止片１２０の内面間の距離は、支柱８７の左右方向Ｘの長さよりも長い。一対の突片１１９の外面間の距離、及び一対の係止片１２０の外面間の距離は、切欠き１１７ａの左右方向Ｘの長さよりも短い。
【００４７】
図６に示すように、上下方向Ｚにおいて、外基板１１７と係止片１２０との間には、隙間Ｓ３が形成されている。隙間Ｓ３は、内側押え板１０６の内基板１１３の厚さにほぼ等しい（等しいも含む）。
伸び状態であるときの押え板１０６、１０７は、外側押え板１０７の隙間Ｓ３に内側押え板１０６の内基板１１３、すなわち角孔１１３ａの後方Ｙ２の縁部が挿入される。外側押え板１０７の外基板１１７と係止片１２０との間に内側押え板１０６の内基板１１３が挟まれて、外側押え板１０７に対して内側押え板１０６が上下方向Ｚに移動できなくなる。言い換えれば、内側押え板１０６及び外側押え板１０７は、上下方向Ｚに一体になる。
【００４８】
図５から図７に示すように、外側押え板１０７の一対の外側板１１８は、受け具１０５の一対の側板１１１を挟むように配置される。外側押え板１０７の一対の突片１１９及び一対の係止片１２０は、支柱８７を挟むように配置される。外側押え板１０７の外基板１１７は、内側押え板１０６の内基板１１３よりも下方に配置されている。
外側押え板１０７は、受け具１０５及び内側押え板１０６よりも後方Ｙ２に突出している。受け具１０５及び内側押え板１０６は、外側押え板１０７よりも前方Ｙ１に突出している。伸び状態であるときの内側押え板１０６及び外側押え板１０７の全体としての奥行方向Ｙの長さＬ４（図５参照）は、係止溝８０の下面開口８０ａにおける長さＬ２よりも長く、係止溝８０の基板７７の下面寄りの長さＬ１以下である。受け具１０５、内側押え板１０６、及び外側押え板１０７の全体としての上下方向Ｚの長さは、レール７５の基板７７と内向き凸片７９との距離以下である。
なお、後述する押え板１０６、１０７の伸び状態と縮み状態とを切替えるときに、外側押え板１０７を、受け具１０５及び内側押え板１０６に対して奥行方向Ｙに移動させる。
【００４９】
固定ネジ１０８は、外周面に雄ネジ（符号省略）が形成されたネジ部１２２と、ネジ部１２２の下端部に固定された回動摘み１２３と、を有する。ネジ部１２２は、外側押え板１０７の長孔１１７ｂ、及び内側押え板１０６の丸孔１１３ｂに挿入されるとともに、ナット１１５に嵌め合わせられている。
ネジ部１２２は、長孔１１７ｂの前方Ｙ１の端部に配置されている。
支持部８８は、支柱８７を介して把持部８６に設けられている。
なお、受け具１０５が内側押え板１０６よりも前方Ｙ１に突出しないように構成してもよい。
【００５０】
図８は、押え板１０６、１０７が縮み状態であるときの状態を示す。縮み状態である押え板１０６、１０７は、伸び状態である押え板１０６、１０７において、内側押え板１０６に対して外側押え板１０７が前方Ｙ１に移動した状態である。
外側押え板１０７の切欠き１１７ａの後方Ｙ２の縁部が、支柱８７に係止している。ネジ部１２２は、長孔１１７ｂの後方Ｙ２の端部に配置されている。
この縮み状態においても、外側押え板１０７は、受け具１０５及び内側押え板１０６よりも後方Ｙ２に突出している。受け具１０５及び内側押え板１０６は、外側押え板１０７よりも前方Ｙ１に突出している。縮み状態であるときの内側押え板１０６及び外側押え板１０７の全体としての奥行方向Ｙの長さＬ５は、係止溝８０の下面開口８０ａにおける奥行方向Ｙの長さＬ２よりも短い。押え板１０６、１０７を縮み状態にすることで、使用者は、レール７５に対して支持部８８を左右方向Ｘに移動してレール７５から支持部８８を取外すだけでなく、レール７５に対して支持部８８を係止溝８０の下面開口８０ａを通して下方に移動しても、レール７５から支持部８８を取外すことができる。
【００５１】
この縮み状態では、外側押え板１０７の隙間Ｓ３から内側押え板１０６の内基板１１３が外れるため、内側押え板１０６に対して外側押え板１０７を下方に移動させることで、内側押え板１０６から外側押え板１０７を取外すことができる。言い換えれば、内側押え板１０６及び外側押え板１０７は、上下方向Ｚに分離可能（別体）になる。
【００５２】
このように、外側押え板１０７は、内側押え板１０６に対して奥行方向Ｙに相対的に移動可能である。
内側押え板１０６及び外側押え板１０７の全体としての奥行方向Ｙの長さは、縮み状態であるときの押え板１０６、１０７に比べて伸び状態であるときの押え板１０６、１０７の方が比較的長くなる。
【００５３】
図３及び図４に示すように、受け具１０５、及び伸び状態であるときの押え板１０６、１０７は、レール７５の係止溝８０内に配置される。固定ネジ１０８は、係止溝８０から下方に突出する。すなわち、本実施形態では、支持部８８における固定ネジ１０８以外の構成である受け具１０５及び押え板１０６、１０７が、係止溝８０内に配置されている。固定ネジ１０８の回動摘み１２３が、係止溝８０の外部に突出している。
なお、固定ネジ１０８全体が係止溝８０内に配置されるように構成してもよい。
【００５４】
内側押え板１０６の前方Ｙ１の端部が、前方Ｙ１の内向き凸片７９に接触する。外側押え板１０７の後方Ｙ２の端部が、後方Ｙ２の内向き凸片７９に接触する。伸び状態であるときの押え板１０６、１０７が、一対の内向き凸片７９の上面に係止することで、係止溝８０に対して押え板１０６、１０７が下方に移動するのが規制される。すなわち、支持部８８は、押え板１０６、１０７により係止溝８０に対して下方に移動するのが規制される。
使用者が、固定ネジ１０８の回動摘み１２３を摘み、固定ネジ１０８をネジ部１２２の軸線周りの第一の向きに回転させ、固定ネジ１０８を上方に移動させる。ネジ部１２２がナット１１５から上方に突出し、受け具１０５の下面に接触する。さらに、固定ネジ１０８を第一の向きに回転させると、固定ネジ１０８により受け具１０５に対して、内側押え板１０６、及び内側押え板１０６と上下方向Ｚに一体になった外側押え板１０７が下方に付勢される。
【００５５】
押え板１０６、１０７は、一対の内向き凸片７９の上面（係止溝８０の内面）に押付けられる。受け具１０５は、レール７５の基板７７の下面に押付けられる。このとき、レール７５の基板７７と受け具１０５との間に生じる摩擦力、及び一対の内向き凸片７９と押え板１０６、１０７との間に生じる摩擦力により、支持部８８がレール７５（係止溝８０）に対して固定された固定状態になる。係止溝８０の底面を支持部８８の上面で支持することにより、レール７５が支持機構８５に支持される。
内側押え板１０６の前方Ｙ１の端部、外側押え板１０７の後方Ｙ２の端部、及び受け具１０５の３カ所で支持部８８がレール７５により支持されることで、支持部８８がレール７５に確実に固定される。
【００５６】
一方で、固定ネジ１０８を第二の向きに回転させ、固定ネジ１０８による付勢を解除すると、基板７７と受け具１０５との間に生じる摩擦力、及び一対の内向き凸片７９と押え板１０６、１０７との間に生じる摩擦力が弱くなるか無くなる。支持部８８が、レール７５（係止溝８０）に対して左右方向Ｘに移動可能な移動状態になる。
このように、支持部８８は、固定ネジ１０８を調節することで移動状態と固定状態とに切替え可能な固定機構を兼ねる。
支持部８８は、レール７５に対して左右方向Ｘにおける任意の位置で取付け可能である。
【００５７】
図１及び図４に示すように、本実施形態の棚装置７０のレール７５には、３つの支持機構８５が取付けられている。３つの支持機構８５は、左右方向Ｘに並べて配置されている。
なお、レール７５に取付けられる支持機構８５の数に制限はなく、１つでもよいし、２つ、４つ以上でもよい。
【００５８】
このように構成された支持構造２の組立方法は、以下の手順となる。
作業者は、受け具１０５が取付けられた支柱８７を用意する。この支柱８７には、また把持部８６は取付けられていない。
内側押え板１０６の角孔１１３ａに支柱８７を支柱８７の下部から挿入する。内側押え板１０６の角孔１１３ａに、外側押え板１０７の一対の突片１１９及び一対の係止片１２０を内側押え板１０６の下方から通す。このとき、押え板１０６、１０７は縮み状態になる。支柱８７に把持部８６を取付ける。以上の工程で、支持機構８５が完成する。この支持機構８５を例えば３つ用意する。
各支持機構８５の支持部８８を、係止溝８０の下面開口８０ａを通してレール７５内に挿入する。押え板１０６、１０７を伸び状態にし、レール７５に対して支持部８８を左右方向Ｘの所望の位置に配置する。
固定ネジ１０８を調節して支持部８８を固定状態にして、レール７５に支持機構８５を固定する。
【００５９】
次に、以上のように構成され製造された支持構造２を、左右方向Ｘにおいて天板１２の縁部１２ａの所望の位置に棚装置７０を配置した状態で天板１２に取付ける手順について説明する。この例では、天板１２に把持部８６を取付ける際の障害物が、図１に示す横梁部２９であるとする。横梁部２９は、テーブル１の天板１２の下面に設けられる。なお、障害物には、図１に示す中間脚２４のステー３６もなり得る。天板よりも下方に配置されたものも、障害物になり得る。
予め、レール７５に棚装置７０を取付けておく。作業者は、まず、各支持機構８５の固定ネジ１０８を調節して支持部８８を移動状態にする。各支持機構８５の支持部８８を、係止溝８０の下面開口８０ａを通してレール７５から取外す。
【００６０】
図１及び図３に示すように、横梁部２９を避けて天板１２の縁部１２ａに各支持機構８５の把持部８６を取付ける。すなわち、把持部８６により天板１２の縁部１２ａの左右方向Ｘの任意の位置に支持機構８５を取付ける。
次に、左右方向Ｘにおいて天板１２の所望の位置に棚装置７０を配置した状態で、各支持機構８５の支持部８８にレール７５を取付ける。例えば、天板１２の左右方向Ｘの端と棚装置７０の左右方向Ｘの端とを一致させた状態で、各支持機構８５にレール７５を取付ける。このとき、レール７５の下面開口８０ａを通して係止溝８０内に支持部８８を挿入する。この状態で、各支持機構８５の固定ネジ１０８を調節して支持部８８を固定状態にして、レール７５に対して支持部８８を固定する。すなわち、支持部８８によりレール７５の左右方向Ｘの任意の位置に支持機構８５を取付ける。
以上の手順で、棚装置７０の左右方向Ｘの位置を調節して、天板１２に棚装置７０を取付ける。
【００６１】
なお、本実施形態では、把持部８６は天板１２の縁部１２ａに対して左右方向Ｘにおける任意の位置で取付け可能であるとしたが、把持部８６は天板１２の縁部１２ａに対して左右方向Ｘにおける複数の異なる位置で取付け可能であるとしてもよい。天板１２に設けられている障害物により天板１２に把持部８６が取付けられる位置が左右方向Ｘに有限である場合が、このケースに該当する。
支持部８８はレール７５（係止溝８０）に対して左右方向Ｘにおける任意の位置で取付け可能であるとしたが、支持部８８はレール７５に対して左右方向Ｘにおける複数の異なる位置で取付け可能であるとしてもよい。
この場合、把持部８６により天板１２の縁部１２ａに対する複数の左右方向Ｘに異なる位置のうちの任意の位置に支持機構８５を取付ける。支持部８８によりレール７５に対する複数の左右方向Ｘに異なる位置のうちの任意の位置に支持機構８５を取付ける。これにより、天板１２に支持構造２を取付ける。
【００６２】
レール７５から各支持機構８５が取外されている状態で、天板１２の縁部１２ａに支持機構８５を取付けた後で、レール７５の端部開口８０ｂを通して係止溝８０内に支持部８８を挿入してもよい。
また、以下のように、レール７５から各支持機構８５を着脱することなく、天板１２に支持構造２を取付けてもよい。
まず、レール７５に各支持機構８５が固定された支持構造２において、各支持機構８５の固定ネジ１０８を調節して、支持部８８を移動状態にする。横梁部２９を避けるように天板１２の縁部１２ａに各支持機構８５の把持部８６を取付ける。このとき、必要に応じてレール７５に対して支持機構８５を左右方向Ｘに移動させる。これにより、天板１２に各支持機構８５が取付けられる。
次に、左右方向Ｘにおいて所望の位置に棚装置７０を移動させる。例えば、天板１２の左右方向Ｘの端と棚装置７０の左右方向Ｘの端とを一致させる。この状態で、固定ネジ１０８を調節して支持部８８を固定状態にして、レール７５に対して支持部８８を固定する。
以上の手順で、棚装置７０の左右方向Ｘの位置を調節して、天板１２に棚装置７０を取付ける。
【００６３】
載置面７１ａに載置する物品に左右方向Ｘに質量の偏りがある場合には、重い物品を支持する棚板７１の部分の下方に支持機構８５が集まるように、支持機構８５の左右方向Ｘの位置を調節してもよい。
この場合、位置を調節する支持機構８５の支持部８８を移動状態にする。把持部８６の締付けネジ９１を軸線周りの第二の向きに回転させて緩める。支持機構８５を左右方向Ｘに移動し、位置を調節する。移動した支持機構８５の締付けネジ９１を第一の向きに回転させて上方に締付ける。支持部８８を固定状態にして、移動した支持機構８５を天板１２及びレール７５に固定する。
【００６４】
棚装置７０の位置を再調節する場合は、例えば、各支持機構８５の支持部８８を移動状態にするとともに、押え板１０６、１０７を縮み状態にする。棚装置７０を上方に移動させ、レール７５の下面開口８０ａを通して各支持機構８５の支持部８８を取外す。天板１２から各支持機構８５の把持部８６を取外す。
前述の手順で棚装置７０の左右方向Ｘの位置を再調節して、天板１２に棚装置７０を取付ける。
【００６５】
以上説明したように、本実施形態の棚装置７０の支持構造２によれば、例えば、レール７５に棚装置７０を取付けておく。天板１２に把持部８６を取付け可能な複数の位置、及び、レール７５に支持部８８を取付け可能な複数の位置から、把持部８６が障害物を避けるとともに、左右方向Ｘにおいて天板１２の所望の位置に棚装置７０が配置されるように、天板１２に把持部８６を取付ける位置、及び、レール７５に支持部８８を取付ける位置を選ぶ。選んだ位置になるように天板１２に把持部８６を取付け、レール７５に支持部８８を取付ける。
したがって、左右方向Ｘにおいて天板１２の縁部１２ａの所望の位置に棚装置７０を配置した状態で、天板１２に棚装置７０を取付けることができる。
【００６６】
支持構造２は、３つの支持機構８５を左右方向Ｘに並べた状態で備える。このため、棚装置７０を左右方向Ｘにより安定的かつ強固に支持することができる。
支持部８８が、係止溝８０内に配置されて係止溝８０に対して左右方向Ｘに移動可能である。係止溝８０に取付け可能な支持部８８の位置が左右方向Ｘに連続的に設けられることで、係止溝８０に対する支持部８８の位置を左右方向Ｘに精度良く調節することができる。
係止溝８０の底面を支持部８８の上面で支持するため、支持部８８の上面でレール７５をより安定的かつ強固に支持することができる。
【００６７】
支持部８８における固定ネジ１０８以外の構成が係止溝８０内に配置されている。これにより、支持部８８がレール７５内から外部に突出することを抑えて、支持部８８の外観を向上させることができる。
固定ネジ１０８の回動摘み１２３が係止溝８０の外部に突出していることで、使用者が回動摘み１２３を摘みやすくなる。
支持部８８を移動状態と固定状態とに切替えるのに、受け具１０５から押え板１０６、１０７、及び固定ネジ１０８を取外さずに行うことができる。このため、支持部８８を移動状態と固定状態とに切替える際に、押え板１０６、１０７、及び固定ネジ１０８が無くなるのを防止することができる。
支持部８８は、固定状態と移動状態とに切替え可能な固定機構を兼ねる。支持部８８の固定ネジ１０８を操作することで、支持部８８がレール７５に対して固定状態及び移動状態になるのを容易に切替えることができる。
【００６８】
また、本実施形態の什器システム６によれば、把持部８６は横梁部２９を避けて天板１２に取付けられている。したがって、横梁部２９を避けて天板１２に把持部８６を取付けつつ、左右方向Ｘにおいて天板１２の縁部１２ａの所望の位置に棚装置７０を配置することができる。
把持部８６は、天板１２の配線挿通部５０寄りの縁部１２ａに取付けられている。このため、いわゆる対面式のテーブル１において、天板１２上での執務に支障とはなりにくい天板１２の配線挿通部５０寄りの縁部１２ａに、支持構造２を介して棚装置７０を取付けることができる。
【００６９】
支持機構８５が、支柱８７を有する。これにより、棚装置７０における物品を載置する位置をより上方に調節することができる。
係止溝８０が蟻溝状であるとともに、支持部８８は抜止め部材１０９を有する。したがって、抜止め部材１０９により、係止溝８０に対して支持部８８が下方に移動するのを確実に規制することができる。
抜止め部材１０９は内側押え板１０６及び外側押え板１０７を有し、押え板１０６、１０７は伸び状態と縮み状態とに切替え可能である。このため、押え板１０６、１０７の全体としての奥行方向Ｙの長さに応じて、押え板１０６、１０７が上下方向Ｚに一体になるか、分離可能になるかを切替えることができる。
【００７０】
支持部８８は、受け具１０５及び固定ネジ１０８を有する。押え板１０６、１０７が伸び状態であり押え板１０６、１０７が上下方向Ｚに一体になったときに、固定ネジ１０８により押え板１０６、１０７を下方に付勢することで、係止溝８０に支持部８８を固定することができる。
縮み状態であるときの押え板１０６、１０７の全体としての奥行方向Ｙの長さＬ５は、係止溝８０の下面開口８０ａにおける奥行方向Ｙの長さＬ２よりも短い。押え板１０６、１０７が縮み状態であるときに、係止溝８０の下面開口８０ａを通してレール７５から支持部８８を取外すことができ、レール７５からの支持機構８５の取外しが容易になる。
【００７１】
なお、図９に示す支持構造３のように、本実施形態の支持構造２の支持機構８５に代えて、支持機構１３０を備えてもよい。この支持機構１３０は、前述の支持機構８５の支持部８８に代えて支持部１３１を有している。
支持部１３１は、受け具１３２、固定部材１３３、及び前述の固定ネジ１０８を備えている。
受け具１３２は、水平面に沿って延びる板状に形成されている。受け具１３２の後端部には、上下方向Ｚに貫通する雌ネジ１３２ａが形成されている。
固定部材１３３には、上面の前方Ｙ１に第一段部１３３ａが形成されている。第一段部１３３ａには、上下方向Ｚに貫通する貫通孔１３３ｂが形成されている。
固定部材１３３には、下面の後方Ｙ２に第二段部１３３ｃが形成されている。
【００７２】
固定部材１３３の第一段部１３３ａは、受け具１３２の後端部に係止されている。
固定ネジ１０８のネジ部１２２は、固定部材１３３の貫通孔１３３ｂに挿入されるとともに、第一の向きに回転されることで受け具１３２の雌ネジ１３２ａに嵌め合わされている。固定部材１３３は、受け具１３２と固定ネジ１０８の回動摘み１２３とで上下方向Ｚに挟まれることで、受け具１３２に固定されている。
受け具１３２及び固定部材１３３の全体としての奥行方向Ｙの長さは、係止溝８０の下面開口８０ａにおける長さＬ２よりも長く、係止溝８０の基板７７の下面寄りの長さＬ１以下である。
受け具１３２の前方Ｙ１の端部が、前方Ｙ１の内向き凸片７９に接触する。固定部材１３３の第二段部１３３ｃが、後方Ｙ２の内向き凸片７９に接触する。受け具１３２から上方に突出したネジ部１２２がレール７５の基板７７の下面に接触し、レール７５に対して受け具１３２及び固定部材１３３が下方に付勢される。これにより、支持部１３１がレール７５に対して固定された固定状態になる。
【００７３】
一方で、固定ネジ１０８を第二の向きに回転させ、レール７５及び受け具１３２から固定部材１３３及び固定ネジ１０８を取外す。すると、受け具１３２（支持部１３１）がレール７５に対して左右方向Ｘに移動可能な移動状態になる。
なお、レール７５に対する支持機構１３０の左右方向Ｘの位置を調節するには、まず、支持部１３１を移動状態にする。
レール７５に対する受け具１３２の左右方向Ｘの位置を調節する。位置を調節した受け具１３２に、固定部材１３３及び固定ネジ１０８を取付け、支持部１３１を固定状態にする。
【００７４】
このように構成された本変形例の支持構造３によっても、固定ネジ１０８を調節することで、支持部１３１を移動状態と固定状態とに切替え可能である。
本変形例の支持部１３１は、支持部１３１を構成するのに必要な部品の数を、受け具１３２、固定部材１３３、及び固定ネジ１０８の３つに抑えることができる。
【００７５】
以上、本発明の一実施形態について図面を参照して詳述したが、具体的な構成はこの実施形態に限られるものではなく、本発明の要旨を逸脱しない範囲の構成の変更、組み合わせ、削除等も含まれる。
例えば、前記実施形態では、固定部は把持部８６に限定されない。例えば、固定部として吸盤を用いてもよいし、天板１２が金属で形成されている場合には磁石を用いてもよい。
【００７６】
支持機構８５が支柱８７を備えず、把持部８６に支持部８８が直接接続されてもよい。
被支持部であるレール７５には係止溝８０が形成されているとした。しかし、被支持部には、左右方向Ｘに延びる凸条部等が形成されてもよい。
オプション装置が棚装置７０であるとした。しかし、オプション装置はこれに限定されず、机上トレー、机上収納箱、机上ディスプレイ等でもよい。
テーブル１が４枚の天板１１、１２、１３、１４を有するとしたが、テーブル１が有する天板の数は特に限定されず、１枚から３枚でもよいし、５枚以上でもよい。
什器がテーブル１であるとしたが、什器はこれに限定されず、机や棚等でもよい。
【符号の説明】
【００７７】
１    テーブル（什器）
２、３  支持構造（棚装置の支持構造、オプション装置の支持構造）
６    什器システム
１１、１２、１３、１４  天板
１１ａ、１２ａ、１３ａ、１４ａ  縁部
２９  横梁部（障害物）
５０  配線挿通部（物品収容空間）
７０  棚装置（オプション装置）
７５  レール（被支持部）
８０  係止溝
８５、１３０  支持機構
８６  把持部（固定部）
８８、１３１  支持部
Ｘ    左右方向（一方向）
【図１】
2018075086.tif 000003
【図２】
2018075086.tif 000004
【図３】
2018075086.tif 000005
【図４】
2018075086.tif 000006
【図５】
2018075086.tif 000007
【図６】
2018075086.tif 000008
【図７】
2018075086.tif 000009
【図８】
2018075086.tif 000010
【図９】
2018075086.tif 000011